(57)【要約】【課題】  ほぼ同一の周波数帯域で複数の周波数のテレビジョン放送やＦＭ放送などを同時に受信可能で、使用するアンテナの数を少なくすることができる受信装置を提供する。【解決手段】  ＦＭ用アンプ２４には、ＴＶ／ＦＭ用アンテナ２１への受信信号がスイッチ回路２６を介して入力され、ＦＭ／ＡＭ用アンテナ２２への受信信号もスイッチ回路２７を介して入力される。ＦＭ用アンプ２４に入力されるＦＭ放送信号の受信信号レベルは、ＦＭ／ＡＭ用アンテナ２２からの伝達経路の方が低くなる。この低下を補償するため、および信号相互間の干渉を防止するために特性補償回路３３が設けられている。特性補償回路３３は、ＴＶ用アンプ２３、ＦＭ用アンプ２４、ＡＭ用アンプ２５、スイッチ回路２６，２７および合成回路２８，２９とともに、アンテナの近傍に設置するアンプユニット３４を構成する。【選択図】      図１
2005159989.tif 000002
【特許請求の範囲】
【請求項１】
第１の周波数帯域の電波受信用の第１アンテナおよび第１アンプと、第１の周波数帯域よりも低い第２の周波数帯域の電波受信用の第２アンテナおよび第２アンプとを備えた受信装置において、
第１アンプへの入力を、第１アンテナまたは第２アンテナに切換えるスイッチング回路と、
スイッチング回路が第１アンプへの入力を第２アンテナに切換えた状態で第２アンテナから第１アンプへの入力信号の伝達経路に設けられ、第１の周波数帯域のうちで少なくとも予め定める周波数帯域について、該周波数帯域での第１アンテナに対する第２アンテナの受信特性の違いを補償するとともに受信信号間の相互干渉を防止する特性補償回路とを含むことを特徴とする受信装置。
【請求項２】
前記第１アンテナは、複数のアンテナエレメントを切換えて、ダイバシティ方式の受信が可能であることを特徴とする請求項１記載の受信装置。
【請求項３】
前記第１アンテナでは、ＦＭ放送およびテレビジョン放送を受信し、
前記第２アンテナは、ＡＭ放送受信用であり、前記スイッチング回路が第１アンプへの入力信号を第２アンテナに切換えた状態では、第１の周波数帯域のＦＭ放送を受信することを特徴とする請求項１または２記載の受信装置。
【請求項４】
前記スイッチング回路は、前記第２アンテナから第１アンプへの入力信号の伝達経路に設けられ、順方向を揃えて直列に接続される複数のスイッチングダイオードを含み、
前記特性補償回路は、該スイッチングダイオード間の接続点に一端が接続されるコイルおよびコンデンサの直列回路と、該複数のスイッチングダイオードから前記第１アンプへの入力信号の伝達経路に設けられるコイルとを含むことを特徴とする請求項１〜３のいずれか１つに記載の受信装置。
【請求項５】
前記第１アンプおよび前記第２アンプは、移動体の外部または外部と内部との境界部に設けられ、
前記第１アンプ、第２アンプ、スイッチング回路および特性補償回路は、該第１アンテナおよび該第２アンテナの近傍に設けられることを特徴とする請求項１〜４のいずれか１つに記載の受信装置。
【発明の詳細な説明】
【技術分野】
【０００１】
本発明は、テレビジョン放送、ＦＭ放送およびＡＭ放送など、複数の周波数帯域で複数の電波を同時に受信可能な受信装置に関する。
【背景技術】
【０００２】
従来から、たとえば図６に示すような車載用の放送受信装置では、ＶＨＦ（超短波）帯のテレビジョン放送およびＦＭ放送と、ＭＦ（中波）帯のＡＭ放送とを受信可能にしている。車両に搭載して放送を受信する場合、アンテナを屋根上などの車体の外部や、窓ガラスなどの内外の境界部に設置し、車内に設置する受信装置で受信画像や音声の再生を行う。アンテナとしては、テレビジョン放送受信用のＴＶ用アンテナ１、ＦＭ放送受信用のＦＭ用アンテナ２およびＡＭ放送受信用のＡＭ用アンテナ３を備える。各アンテナに到来する電波によって発生する受信信号が非常に微弱であっても良好に受信が可能となるように、各アンテナの近傍には、ＴＶ用アンプ４、ＦＭ用アンプ５およびＡＭ用アンプ６がそれぞれ設けられる。各アンプには、それぞれのアンテナから受信信号が高周波信号として入力される。各アンプは、入力される高周波信号を、周波数を変えずに増幅する。各アンプからの増幅出力は、ＴＶ信号線７、ＦＭ信号線８およびＡＭ信号線９を介して、離れている放送受信機１０まで伝送される。
【０００３】
テレビジョン放送は３０ＭＨｚ〜３００ＭＨｚのＶＨＦ帯のうち約１００ＭＨｚ以上の周波数帯域を利用し、ＦＭ放送はＶＨＦ帯のうち約７０ＭＨｚ〜約１００ＭＨｚ程度の周波数帯域を利用する。ＡＭ放送は３００ｋＨｚ〜３ＭＨｚのＭＦ帯のうち、約５００ｋＨｚ〜約１６００ｋＨｚを利用する。したがって、図６のＴＶ用アンテナ１とＦＭ用アンテナ２とを共用する場合もある。特に、アンテナは、一般に、高い位置にある方が良好に電波を受信することができる。したがって、高画質や高音質での放送受信を望む場合や、放送局までの距離が大きい場合は、車載用の受信装置ではなくても、屋外などにアンテナを設置し、ＴＶ用とＦＭ用とを共用し、さらにアンプを設ける場合がある。
【０００４】
図７は、図６のＴＶ用アンテナ１およびＦＭ用アンテナ２に相当するＴＶ／ＦＭ用アンテナ１２を用い、ＴＶ／ＦＭ用アンプ１３で高周波増幅し、ＴＶ／ＦＭ用信号線１４を介して受信機１５で受信画像や受信音声の再生を行う受信装置１６の構成を示す。図７で図６と対応する部分には、同一の参照符号を付し、重複する説明は省略する。このようなＴＶ帯／ＦＭ帯を１本のアンテナで共用し、ＡＭ受信は専用アンテナで実現するシステムの場合、テレビジョン放送の受信時にＦＭ放送を受信することができなくなる場合がある。たとえばテレビジョン放送をダイバシティ方式で受信する場合、アンテナがテレビジョン放送を良好に受信するために、テレビジョン放送の帰線期間などに切換えられてしまい、連続的にＦＭ放送を受信していて切換によって受信信号レベルが変動したり、連続したデータ受信でエラーが生じたりするおそれがあるからである。
【０００５】
従来は、ＦＭ放送やＡＭ放送は、ラジオ放送であり、ＦＭ放送では広帯域の周波数変調（ＦＭ）を用いて高音質の放送が可能な点、ＡＭ放送では振幅変調（ＡＭ）を用いて比較的簡易な受信装置での受信が可能な点をそれぞれ特徴にしている。多重化などの通信技術の進歩で、テレビジョン放送、ＦＭ放送およびＡＭ放送のいずれも、各種のデータや情報を、従来からの放送番組と同時に提供するようになってきている。特に、ＦＭ放送では、ＶＩＣＳ（Vehicle Information and Communication System）などの車両の道路交通に関連する情報を提供し、車載用のナビゲーション装置などでは、その情報を自動的に利用して、渋滞状況などを表示したり、経路探索の際に渋滞を避けたりする機能を有するので、車載用の受信装置では、テレビジョン放送を受信する場合とＦＭ放送とを両方受信する場合もある。（たとえば、特許文献１参照。）渋滞情報や他の情報は、車載用の受信装置ではなくても、各種データ処理などで利用可能であり、テレビジョン放送を受信しながら、並行してデータ処理を行うため、ＦＭ放送を同時に受信することが要望される場合がある。
【０００６】
図６のＦＭ用アンテナ２とＡＭ用アンテナ３とを共用することも考えられる。電波受信は、アンテナの周囲の環境などの影響を受ける。受信状態を良好にするために、複数のアンテナエレメントを切換え可能にしておき、最も受信状態が良好なアンテナエレメントを選択するダイバシティ方式も知られている。ＦＭ用アンテナとＦＭ／ＡＭ用アンテナとを用いて、ＦＭラジオ放送を受信するダイバーシティ受信装置のアンテナ切換回路も提案されている（たとえば、特許文献２および特許文献３参照。）。ＴＶ／ＦＭ用アンテナとＦＭ／ＡＭ用アンテナとともに、ＴＶ専用のアンテナも用い、ＴＶ受信時およびＦＭ受信時もフェージング等の受信障害を抑制すべくダイバシティ方式での受信を行うことも提案されている（たとえば、特許文献４および特許文献５参照。）。
【０００７】
【特許文献１】特許第３３３６５５８号公報
【特許文献２】特開平６−６２４５号公報
【特許文献３】特開平１０−１６３９４１号公報
【特許文献４】特開平１０−３２５２８号公報
【特許文献５】特開２００３−３０４１６６号公報
【発明の開示】
【発明が解決しようとする課題】
【０００８】
図６に示すように、アンテナとアンプとをＴＶ帯、ＦＭ帯およびＡＭ帯のそれぞれ専用に設ける場合は、アンテナの数が多くなり、設置スペース等の制約や、設置コストの負担が大きくなる。特に、テレビジョン放送などを高画質で受信するためにダイバシティ方式を併用する場合は、アンテナやアンプの必要数が多くなってしまう。
【０００９】
図７に示すように、ＴＶ／ＦＭ用アンテナ１２などを用いて、ＴＶ帯とＦＭ帯とを１本のアンテナで共用するシステムでは、テレビジョン放送の受信時に、ＦＭ放送を受信することができない。
【００１０】
特許文献２〜５のように、ＦＭ帯とＡＭ帯とで共用のアンテナを用いる場合は、テレビジョン放送の受信時に、同時にＦＭ放送を受信することが可能になる。ただし、ＦＭ帯を周波数が大きく異なるＡＭ帯用のアンテナで受信するので、ＦＭ帯とＴＶ帯とを共用する場合よりも、アンテナの利得が小さくなり、一般に受信信号のレベルが低下してしまう。したがって、他のＦＭ帯専用やＴＶ／ＦＭ帯共用のアンテナと併用してダイバシティ方式を実現しようとしても、アンテナの利得が小さいので、ＦＭ／ＡＭ帯共用のアンテナの受信信号レベルが大きくなることは少なく、有効なダイバシティ方式の実現に寄与させることはできない。
【００１１】
本発明の目的は、ほぼ同一の周波数帯域で複数の周波数のテレビジョン放送やＦＭ放送などを同時に受信可能で、使用するアンテナの数を少なくすることができる受信装置を提供することである。
【課題を解決するための手段】
【００１２】
本発明は、第１の周波数帯域の電波受信用の第１アンテナおよび第１アンプと、第１の周波数帯域よりも低い第２の周波数帯域の電波受信用の第２アンテナおよび第２アンプとを備えた受信装置において、
第１アンプへの入力を、第１アンテナまたは第２アンテナに切換えるスイッチング回路と、
スイッチング回路が第１アンプへの入力を第２アンテナに切換えた状態で第２アンテナから第１アンプへの入力信号の伝達経路に設けられ、第１の周波数帯域のうちで少なくとも予め定める周波数帯域について、該周波数帯域での第１アンテナに対する第２アンテナの受信特性の違いを補償するとともに受信信号間の相互干渉を防止する特性補償回路とを含むことを特徴とする受信装置である。
【００１３】
また本発明で、前記第１アンテナは、複数のアンテナエレメントを切換えて、ダイバシティ方式の受信が可能であることを特徴とする。
【００１４】
また本発明で、前記第１アンテナでは、ＦＭ放送およびテレビジョン放送を受信し、
前記第２アンテナは、ＡＭ受信用であり、前記スイッチング回路が第１アンプへの入力信号を第２アンテナに切換えた状態では、第１の周波数帯域のＦＭ放送を受信することを特徴とする。
【００１５】
また本発明で、前記スイッチング回路は、前記第２アンテナから第１アンプへの入力信号の伝達経路に設けられ、順方向を揃えて直列に接続される複数のスイッチングダイオードを含み、
前記特性補償回路は、該スイッチングダイオード間の接続点に一端が接続されるコイルおよびコンデンサの直列回路と、該複数のスイッチングダイオードから前記第１アンプへの入力信号の伝達経路に設けられるコイルとを含むことを特徴とする。
【００１６】
また本発明で、前記第１アンテナおよび前記第２アンテナは、移動体の外部または外部と内部との境界部に設けられ、
前記第１アンプ、第２アンプ、スイッチング回路および特性補償回路は、該第１アンテナおよび該第２アンテナの近傍に設けられることを特徴とする。
【発明の効果】
【００１７】
本発明によれば、スイッチング回路が第１アンプへの入力を第２アンテナに切換える状態で、第２アンテナから第１アンプへの入力信号の伝達経路には、第１の周波数帯域のうちで少なくとも予め定める周波数帯域について、その周波数帯域での第１アンテナに対する第２アンテナの受信特性の違いを補償するとともに受信信号相互間の干渉を防止する特性補償回路を含むので、特性補償回路で受信特性の違いを補償する周波数帯域については、第１アンテナで受信する場合でも、第２アンテナで受信する場合でも、同等の感度で受信することができる。しかも、第１アンテナで受信する信号と、第２アンテナで受信する信号との相互間の干渉を防止することもできる。第１の周波数帯のうちの少なくとも予め定める周波数帯域は、第２アンテナで受信する場合でも第１アンテナで受信する場合と基本的に同等の感度で受信することができる。第１アンテナと第２アンテナとを使用し、第１アンテナ用のほぼ同一の周波数帯域で複数の周波数のテレビジョン放送やＦＭ放送などを同時に受信可能であり、第２アンテナは低い周波数帯域の受信にも使用するので、アンテナの数を少なくすることができる。
【００１８】
また本発明によれば、第１アンテナは、複数のアンテナエレメントを切換えてダイバシティ方式の受信が可能であるので、第１の周波数帯域で他に受信する信号は第２アンテナで受信するようにして、目的の信号をダイバシティ方式でより高品質の状態で受信することができる。
【００１９】
また本発明によれば、ＦＭ放送を、テレビジョン放送と共用の第１アンテナと、ＡＭ放送受信用の第２アンテナとで受信可能であるので、テレビジョン放送受信時は、第２アンテナでＦＭ放送を同時に受信することができる。特性補償回路でＦＭ放送受信時の第１アンテナに対する第２アンテナの受信特性の違いを補償するので、ＡＭ放送受信用の第２アンテナを用いても、第１アンテナと同様にＦＭ放送を受信することができる。
【００２０】
また本発明によれば、第２アンテナから第１アンプへの入力信号の伝達経路に設けられ、順方向を揃えて直列に接続される複数のスイッチングダイオードでアンテナの切換えを行うので、ダイオードに順方向の電流を流せばインピーダンスが低くなってＯＮ状態となり、入力信号が伝達経路に沿って伝わる。スイッチングダイオードに順方向の電流を流さなければ、インピーダンスが高くなってＯＦＦ状態となり、入力信号が伝達経路に沿って伝わらなくなる。複数のスイッチングダイオードが全て同時にＯＦＦ状態となるので、伝達経路を確実に遮断することができる。特性補償回路は、スイッチングダイオード間の接続点に一端が接続されるコイルおよびコンデンサの直列回路と、複数のスイッチングダイオードから第１アンプへの入力信号の伝達経路に設けられるコイルとを含むので、コイルやコンデンサのインダクタンス値やキャパシタンス値を調整して、所望の周波数帯域で第２アンテナからの受信信号を増強するように補償することができる。
【００２１】
また本発明によれば、第１アンテナおよび第２アンテナは、車両などの屋根上や窓ガラスなど、移動体の外部または外部と内部との境界部に設けられ、第１アンプ、第２アンプ、スイッチング回路および特性補償回路は、第１アンテナおよび第２アンテナの近傍に設けられるので、第１アンテナおよび第２アンテナで受信する微弱な受信信号を、ノイズの影響などを受けにくい状態で受信し、第１の周波数帯域については、第２アンテナでも受信するように、受信系統を切換えることができる。
【発明を実施するための最良の形態】
【００２２】
図１は、本発明の実施の一形態としての受信装置２０の概略的な電気的構成を示す。受信装置２０は、ＴＶ／ＦＭ用アンテナ２１およびＦＭ／ＡＭ用アンテナ２２の２つのアンテナで、テレビジョン放送、ＦＭ放送およびＡＭ放送の３種類の放送を受信する。第１アンテナであるＴＶ／ＦＭ用アンテナ２１は、基本的にＴＶ用に適合するアンテナであるけれども、第１の周波数帯域であるＶＨＦ帯の受信用であるので、テレビジョン放送とともにＶＨＦ帯に割当てられているＦＭ放送も受信信号レベルの低下が比較的小さい状態で受信可能である。第２アンテナであるＦＭ／ＡＭ用アンテナ２２は、基本的に第２の周波数帯域であるＭＦ帯のＡＭ放送受信用に適合するアンテナであり、ＶＨＦ帯のＦＭ放送は受信信号レベルの低下が比較的大きい状態で受信可能となる。
【００２３】
ＴＶ／ＦＭ用アンテナ２１およびＦＭ／ＡＭ用アンテナ２２への受信信号は、ＴＶ用アンプ２３、ＦＭ用アンプ２４およびＡＭ用アンプ２５をアンテナアンプとして高周波増幅される。ＴＶ／ＦＭ用アンテナ２１への受信信号が入力されるアンテナアンプは、スイッチ回路２６によって、ＴＶ用アンプ２３またはＦＭ用アンプ２４のいずれかに切換えられる。ＦＭ用アンプ２４には、ＦＭ／ＡＭ用アンテナ２２への受信信号もスイッチ回路２７を介して入力される。スイッチ回路２６とスイッチ回路２７とは連動し、スイッチ回路２６でＴＶ／ＦＭ用アンテナ２１をＴＶ用アンプ２３側に切換えるときに、スイッチ回路２７はＦＭ／ＡＭ用アンテナ２２をＦＭ用アンプ２４の入力側に接続する。スイッチ回路２６でＴＶ／ＦＭ用アンテナ２１をＦＭ用アンプ２４側に切換えるときには、スイッチ回路２７によってＦＭ／ＡＭ用アンテナ２２とＦＭ用アンプ２４の入力側との間は遮断される。
【００２４】
スイッチ回路２７とＦＭ用アンプ２４の入力側との間には、合成回路２８が設けられ、スイッチ回路２６で切換えられるＴＶ／ＦＭ用アンテナ２１からの受信信号と、スイッチ回路２７が導通するときのＦＭ／ＡＭ用アンテナ２２からの受信信号とを合成して、ＦＭ用アンプ２４に入力する。ただし、前述のようなスイッチ回路２６およびスイッチ回路２７の連動動作によって、いずれか一方の受信信号が選択的に入力される。ＦＭ用アンプ２４の出力側にも、合成回路２９が設けられる。合成回路２９は、ＦＭ用アンプ２４の出力信号と、ＡＭ用アンプ２５の出力信号とを合成する。この２つの出力信号は、ＶＨＦ帯とＭＦ帯との周波数の違いが大きく、混合しても、後段側の受信機３０のチューナ部分などで、容易に分離することができる。また合成回路２９は、ＡＭ用アンプ２５で増幅された受信信号を、ＦＭ用アンプ２４側には伝えないという機能も有している。
【００２５】
ＴＶ用アンプ２３の出力信号は、ＴＶ信号線３１を介して離れている位置に設置される受信機３０に伝達される。合成回路２９からの出力信号は、ＦＭ／ＡＭ信号線３２を介して受信機３０に伝達される。ＦＭ用アンプ２４に入力される受信信号レベルは、前述のように、ＦＭ／ＡＭ用アンテナ２２からの伝達経路の方が低くなる。この低下を補償するために、後述するような特性補償回路３３が設けられている。特性補償回路３３は、ＴＶ用アンプ２３、ＦＭ用アンプ２４、ＡＭ用アンプ２５、スイッチ回路２６，２７および合成回路２８，２９とともに、アンテナの近傍に設置するアンプユニット３４を構成する。
【００２６】
また特性補償回路３３は、ＴＶ／ＦＭ用アンテナ２１とＦＭ／ＡＭ用アンテナ２２とからの受信信号が相互に干渉することを、次のように防止する機能も有している。
（１）ＦＭ用アンプ２４がＴＶ／ＦＭ用アンテナ２１とＦＭ／ＡＭ用アンテナ２２とに兼用されているため、ＴＶ／ＦＭ用アンテナ２１からＦＭ用アンプ２４への信号ラインと、ＦＭ／ＡＭ用アンテナ２２からＦＭ用アンプ２４への信号ラインとが接続される。
（２）このため、ＴＶ／ＦＭ用アンテナ２１で受信したＦＭ信号は、ＦＭ用アンプ２４ばかりではなく、ＦＭ／ＡＭ用アンテナ２２からＡＭ用アンプ２５への信号ラインに誘導されるおそれがある。
（３）逆に、ＦＭ／ＡＭ用アンテナ２２で受信したＡＭ信号は、ＴＶ／ＦＭ用アンテナ２１からＦＭ用アンプ２４への信号ラインに誘導されるおそれがある。
（４）このような誘導による悪影響を回避するために、特性補償回路３３には、各アンテナで受信された不要な周波数帯域の受信信号による干渉を防止する機能も備えるようにしている。
（５）すなわち、特性補償回路３３は、各アンテナからの受信信号が、ＡＭ⇒ＦＭ、またはＦＭ⇒ＡＭに干渉することを防止する機能を有している。
【００２７】
図２は、図１のスイッチ回路２７および特性補償回路３３の構成および特性の例を示す。図２（ａ）は構成の例を示す。ＡＭ用アンプ２５の入力側に、図１のＦＭ／ＡＭ用アンテナ２２から受信信号が伝達される経路には、コンデンサ４０の一端が接続され、直流分をカットした高周波信号を他端側に取出すことができる。コンデンサ４０の他端には、スイッチングダイオードであるＰＩＮダイオード４１，４２，４３を含むスイッチ回路２７と、直列回路４５およびコイル４６を含む特性補償回路３３とが接続される。ＰＩＮダイオード４１，４２，４３は、ＰＮ接合ダイオードのＰ領域とＮ領域との間にＩ型半導体（真正半導体）の領域を形成したダイオードであり、ＰＮ接合の障壁容量を小さくして、ＯＦＦ状態での高周波信号の漏洩を少なくすることができる。３つのＰＩＮダイオード４１，４２，４３は直列に接続され、ＰＩＮダイオード４２のカソードとＰＩＮダイオード４３のアノードとの接続点に、コンデンサ４０の他端が接続される。ＰＩＮダイオード４２のアノードは、ＰＩＮダイオード４１のカソードと接続されるとともに、直列回路４５のコンデンサ４５Ｃの一端にも接続される。直列回路４５は、コンデンサ４５Ｃと、コンデンサ４５Ｃの他端に一端が接続されるコイル４５Ｌとを含む。コイル４５Ｌの他端は接地される。ＰＩＮダイオード４１のアノードは、コイル４６の一端に接続される。コイル４６の他端は、合成回路２８に接続される。
【００２８】
ＰＩＮダイオード４１のアノードには、高周波信号遮断用のコイル４７および電流制限用の抵抗４８を介してスイッチング状態の制御信号が与えられる。ＰＩＮダイオード４３のカソードは、高周波信号遮断用のコイル４９の一端に接続される。コイル４９の他端は、接地される。制御信号として、所定の正の電圧が与えられると、抵抗４８、コイル４７、ＰＩＮダイオード４１，４２，４３およびコイル４９を通って直流電流が流れ、各ＰＩＮダイオード４１，４２，４３はＯＮ状態となる。この正の制御信号の電圧は、３つのＰＩＮダイオード４１，４２，４３のＰＮ接合における順方向電圧の和よりも高い電圧である。制御電圧が低くなると、３つのＰＩＮダイオード４１，４２，４３はＯＦＦ状態となる。なお、スイッチングダイオードなどのスイッチング素子としては、ＰＩＮダイオード４１，４２，４３ばかりではなく、他の素子を使用しても、回路構成を適合させることによって、同様の効果を得ることもできる。
【００２９】
ＦＭ受信の際に、ＴＶ／ＦＭ用アンテナ２１とＦＭ／ＡＭ用アンテナ２２とでの受信信号の受信レベルの違いは、コンデンサ４０およびコイル４６の直列回路で調整する。すなわち、この直列回路は、ＦＭ／ＡＭ用アンテナ２２で受信されるＦＭ受信信号の信号レベルを上げている。また、コイル４６は、ＴＶ／ＦＭ用アンテナ２１で受信されたＦＭ受信信号がＦＭ／ＡＭ用アンテナ２２側に影響を与えることを防ぐ高周波遮断の機能も果たしている。これによって、ＴＶ／ＡＭ用アンテナ２１はＦＭ／ＡＭ用アンテナ２２およびＡＭ用アンプ２５に影響を与えず、ＦＭ／ＡＭ用アンテナ２２はＴＶ／ＦＭ用アンテナ２１およびＦＭ用アンプ２４に影響を与えないようにしている。
【００３０】
直列回路４５は、スイッチ回路２７の導通時に、ＦＭ／ＡＭ用アンテナ２２で受信したＡＭ受信信号がＦＭ用アンプ２４側に影響を与えないようにする高周波遮断の機能を有している。コイル４９も、スイッチ回路２７の導通時に、ＦＭ／ＡＭ用アンテナ２２で受信したＡＭ受信信号がＦＭ用アンプ２４側に影響を与えないようにする高周波遮断の機能を有している。
【００３１】
図２（ｂ）は、特性補償回路３３による特性補償の例を示す。コンデンサ４０とコイル４６とを調整すると、たとえば７０ＭＨｚ〜９０ＭＨｚのＦＭ帯など、ＶＨＦ帯の特定の周波数帯域の受信信号を昇圧して、受信信号レベルの低下を補償することができる。ＶＨＦ帯でも、テレビジョン信号の割当てられている放送チャネルは広い周波数帯域にわたり、特性補償は困難であるけれども、比較的狭いＦＭ帯であれば、特性補償を有効に行うことができる。
【００３２】
図３は、本発明の実施の他の形態としての受信装置５０の概略的な電気的構成を示す。本実施形態で、図１の実施形態に対応する部分には同一の参照符号を付し、重複する説明を省略する。受信装置５０のアンテナアンプは、ラジオ用ユニット５１とテレビ用ユニット５２とに分けて形成される。ラジオ用ユニット５１には、ＦＭ用アンプ２４、ＡＭ用アンプ２５、スイッチ回路２６，２７、合成回路２８，２９および特性補償回路３３とともに、ＦＭ用アンプ５３およびスイッチ回路５４が含まれる。テレビ用ユニット５２には、ＴＶ用アンプ２３とともに、切換回路５５が含まれる。ラジオ用ユニット５１のスイッチ回路２６，５４は、図１に示すようなＴＶ／ＦＭ用アンテナ２１を２つそれぞれ接続し、テレビ用ユニット５２の切換回路５５と、ラジオ用ユニット５１のＦＭ用アンプ２４およびＦＭ用アンプ５３の入力側とにそれぞれ切換えることができる。テレビジョン放送受信時は、切換回路５５の切換えによって、ダイバシティ方式で受信することができる。ＦＭ放送受信時でも、後段側の受信機６０での切換えで、ダイバシティ方式の受信を行うことができる。
【００３３】
図４は、図１や図３の各アンテナアンプなどに用いることができる温度補償回路の概略的な構成を示す。各アンテナアンプでは、増幅用の半導体素子として、たとえばＮＰＮトランジスタ６１を用いる。ＮＰＮトランジスタ６１の出力は、周波数帯域を選択する選択回路６２に接続され、選択回路６２を介してコレクタやエミッタに直流バイアス電流や高周波の信号が与えられる。ＮＰＮトランジスタ６１は、ベース・エミッタ間のＰＮ接合の温度特性などに基づいて、周囲温度の上昇時などに、直流バイアス電流が増大し、バイアス電流の増大による発熱で、さらに直流バイアス電流の増大を招き、発熱や熱破壊の恐れがある。このような半導体素子の発熱を抑制し、半導体素子の熱破壊を防止するために、温度補償回路６３を設ける。なお、ＮＰＮトランジスタ６１のベースには、直流カット用のコンデンサ６４を介して高周波の入力信号が与えられ、コンデンサ６５でノイズなどの除去が行われる。ＮＰＮトランジスタ６１のベースへの直流バイアスは、抵抗６６を介して、温度補償回路６３から行われる。ＮＰＮトランジスタ６１のベースには、コレクタから抵抗６７で減衰させ、コンデンサ６８で直流カットして、負帰還用の信号電圧も入力される。
【００３４】
温度補償回路６３は、正温度特性のサーミスタ７０、ダイオード７１，７２，７３，７４、抵抗７５、コンデンサ７６および抵抗７７を含む。サーミスタ７０は、温度上昇とともに抵抗値も上昇する正温度特性を有するので、抵抗７５との並列回路の抵抗値も、温度上昇とともに上昇する。サーミスタ７０および抵抗７５の並列回路は、抵抗７７と直列に接続され、温度上昇によるサーミスタ７０の抵抗値の上昇で、抵抗７７への接続点での分圧比が小さくなる。分圧比が小さくなると、抵抗７８を介して＋Ｂ源から供給され、抵抗６６を介してＮＰＮトランジスタ６１のベースに与えられるバイアス電圧も低下し、ＮＰＮトランジスタ６１のバイアス電流の増大による発熱を抑制し、熱破壊を防止することができる。
【００３５】
図５は、図１や図３のアンテナアンプで自動利得制御（ＡＧＣ）を行う場合に、発熱による誤動作防止のための構成を示す。図５（ａ）は、ＡＧＣ回路８０の対策部分を示し、図５（ｂ）は対策前、図５（ｃ）は対策後のゲイン周波数特性をそれぞれ示す。
【００３６】
図５（ａ）に示すように、ＡＧＣ回路８０では、ＡＧＣ制御用の電圧をＰＮＰトランジスタ８１のベース側に入力し、コレクタ側から取出して、各アンテナアンプなどに与える。ＰＮＰトランジスタ８１のベースおよびエミッタには、カソードを共通接続したダイオード８２，８３のアノードがそれぞれ接続される。共通接続されるダイオード８２，８３のカソードは、並列に接続される３つの抵抗８４，８５，８６を介して接地される。ＰＮＰトランジスタ８１のベースには、抵抗８７，８８の一端もそれぞれ接続される。抵抗８７の他端は、ＰＮＰトランジスタ８１のエミッタに接続される。抵抗８８の他端は、共通接続されるダイオード８２，８３のカソードと、並列に接続される３つの抵抗８４，８５，８６の一端との接続点に接続される。
【００３７】
図５（ｂ）は、抵抗８７，８８の抵抗値が不適当なときに、１００℃の周囲温度でのゲインを示す。ゲインが劣化していることが判る。図５（ｃ）は、抵抗８７，８８の抵抗値を最適化したときの１００℃の周囲温度でのゲインを示す。ゲイン劣化が無いことが判る。
【００３８】
以上で説明している実施の各形態の受信装置２０，５０は、車載用の受信装置として、ＦＭ放送でＶＩＣＳ情報を受信しながらテレビジョン放送を受信するような場合に有効に使用することができる。ただし、車載用ばかりではなく、高画質でテレビジョン放送を受信しながら、ＦＭ放送から種々の情報を受信するような場合も、同様に有効に使用することができる。また本発明は、ＶＨＦ帯とＭＦ帯との組合せや、テレビジョン放送、ＦＭ放送およびＡＭ放送の組合せばかりではなく、周波数帯や変調方式の異なる信号の受信に対して、同様に実施することができる。
【図面の簡単な説明】
【００３９】
【図１】本発明の実施の一形態としての受信装置２０の概略的な電気的構成を示すブロック図である。
【図２】図１のスイッチ回路２７および特性補償回路３３の構成の例を示す電気回路図、および特性補償回路３３の特性の例を示すグラフである。
【図３】本発明の実施の他の形態としての受信装置５０の概略的な電気的構成を示すブロック図である。
【図４】図１や図３の各アンテナアンプなどに用いることができる温度補償回路の概略的な構成を示すブロック図である。
【図５】図１や図３のアンテナアンプで自動利得制御を行う場合に、発熱による誤動作防止が可能なＡＧＣ回路８０の電気回路図である。
【図６】従来からの受信装置の概略的な電気的構成を示すブロック図である。
【図７】従来からの受信装置の概略的な電気的構成を示すブロック図である。
【符号の説明】
【００４０】
２０，５０  受信装置
２１  ＴＶ／ＦＭ用アンテナ
２２  ＦＭ／ＡＭ用アンテナ
２３  ＴＶ用アンプ
２４，５３  ＦＭ用アンプ
２５  ＡＭ用アンプ
２６，２７，５４  スイッチ回路
３０，６０  受信機
３３  特性補償回路
４１，４２，４３  ＰＩＮダイオード
４５  直列回路
４０，４５Ｃ  コンデンサ
４５Ｌ，４６，４７，４９  コイル
５５  切換回路
６３  温度補償回路
８０  ＡＧＣ回路
【図１】
2005159989.tif 000003
【図２】
2005159989.tif 000004
【図３】
2005159989.tif 000005
【図４】
2005159989.tif 000006
【図５】
2005159989.tif 000007
【図６】
2005159989.tif 000008
【図７】
2005159989.tif 000009